(57)【要約】【課題】放送コンテンツの場面や内容に応じた違和感のない自然なチャプターを付与し、ユーザは、そのチャプターを利用して録画コンテンツを視聴できるようにする。【解決手段】デジタル放送送信装置１００は、放送するコンテンツの時間軸上の意図した位置にチャプター分割情報を付与するよう指示するチャプター指示データを、コンテンツに付随させて放送する。チャプター指示データは、コンテンツ付随データ作成部１０５で作成され、多重化部１０７にて放送コンテンツのトランスポートストリームの中に多重化され、送信部１０８から送信される。チャプター分割情報を含むコンテンツデータを受信した受信装置側では、そのチャプター分割情報に従って、受信したコンテンツをチャプター分割することができる。【選択図】図１
2006148839.tif 000002
【特許請求の範囲】
【請求項１】
デジタル放送によりコンテンツを放送する放送装置において、該放送装置は、放送するコンテンツの時間軸上の意図した位置にチャプター分割情報を付与するよう指示するチャプター指示データを、該コンテンツに付随させて放送し、該チャプター指示データを前記コンテンツとともに受信した受信装置が、前記チャプター指示データを用いて該コンテンツをチャプターに分割できるようにしたことを特徴とする放送装置。
【請求項２】
請求項１に記載の放送装置において、前記放送装置は、放送するコンテンツの時間軸上の意図した位置でサムネイル画像を生成させるように指示するサムネイル指示データを、該コンテンツに付随させて放送し、該サムネイル指示データを前記コンテンツとともに受信した受信装置が、前記サムネイル指示データを用いて該コンテンツからサムネイル画像を生成できるようにしたことを特徴とする放送装置。
【請求項３】
請求項２に記載の放送装置において、前記放送装置は、放送するコンテンツから生成されるサムネイルのレイアウトを規定するレイアウト情報を、前記コンテンツに付随させて放送し、該レイアウト情報を前記コンテンツとともに受信した受信装置が、前記レイアウト情報を用いて前記生成したサムネイル画像をレイアウトして出力できるようにしたことを特徴とする放送装置。
【請求項４】
請求項１に記載の放送装置において、前記放送装置は、放送するコンテンツの時間軸上の意図した位置のサムネイル画像データを、該コンテンツに付随させて放送し、該サムネイル画像データを前記コンテンツとともに受信した受信装置が、サムネイル画像を出力できるようにしたことを特徴とする放送装置。
【請求項５】
デジタル放送により放送されたコンテンツを受信する受信装置において、該受信装置は、前記放送装置によって放送されたコンテンツを録画する録画部と、放送されたコンテンツの時間軸上の意図した位置にチャプター分割情報を付与するよう指示されたチャプター指示データが該放送されたコンテンツに付随されているときに、該チャプター指示データを解析する解析部と、該解析部の解析結果に従って、前記チャプター指示データによって指示されたコンテンツの時間軸情報の位置にチャプター分割情報を付与するチャプター指示部とを備えることを特徴とする受信装置。
【請求項６】
請求項５に記載の受信装置において、該受信装置は、前記チャプター指示データに指示された時間軸上の位置におけるコンテンツの静止画像から、該コンテンツのサムネイル画像を生成して管理するサムネイル生成・管理部と、前記録画部に録画されているコンテンツを再生する際に、前記サムネイル生成・管理部で管理されている前記サムネイル画像データを出力するサムネイル出力手段とを有することを特徴とする受信装置。
【請求項７】
請求項５に記載の受信装置において、該受信装置は、放送されたコンテンツの時間軸上の意図した位置でサムネイル画像を生成させるように指示されたサムネイル指示データが該放送されたコンテンツに付随されているときに、該サムネイル指示データを解析する解析部と、該解析部の解析結果に従って、前記サムネイル指示データに指示された時間軸上の位置におけるコンテンツの静止画像から、該コンテンツのサムネイル画像を生成して管理するサムネイル生成・管理部と、前記録画部に録画されているコンテンツを再生する際に、前記サムネイル生成・管理部で管理されている前記サムネイル画像データを出力するサムネイル出力手段とを有することを特徴とする受信装置。
【請求項８】
請求項６または７に記載の受信装置において、該受信装置は、前記サムネイル出力手段が出力するサムネイルのレイアウトを規定するレイアウト情報が前記放送されたコンテンツに付随されているときに、前記サムネイル生成・管理部で管理されているサムネイル画像データを、前記レイアウト情報に従って合成するサムネイル合成部を有し、前記サムネイル出力手段は、前記サムネイル合成部で合成したサムネイル画像をサムネイルリストとして出力することを特徴とする受信装置。
【請求項９】
請求項５に記載の受信装置において、該受信装置は、放送されたコンテンツの時間軸上の意図した位置のサムネイル画像データが該放送されたコンテンツに付随されているときに、前記録画部に録画されているコンテンツを再生する際に、前記コンテンツに付随されて放送された前記サムネイル画像データを出力するサムネイル出力手段を有することを特徴とする受信装置。
【請求項１０】
請求項５ないし９のいずれか１に記載の受信装置において、該受信装置は、前記サムネイル出力手段が出力したサムネイル画像の選択を受け付けて、該選択されたサムネイル画像を含むチャプターのコンテンツを再生することを特徴とする受信装置。
【請求項１１】
請求項１ないし４のいずれか１に記載の放送装置と、請求項５ないし１０のいずれか１に記載の受信装置とを有してなることを特徴とするデジタル放送システム。
【発明の詳細な説明】
【技術分野】
【０００１】
本発明は、放送装置、受信装置、及びこれらを備えるデジタル放送システムに関し、より詳細には、デジタル放送コンテンツをチャプターに分割して、検索・再生を容易に実行できるようにした装置及びシステムに関する。
【背景技術】
【０００２】
例えば、セルＤＶＤ(デジタルビデオディスク）などでは、記録された映像コンテンツがいくつかのチャプターに分割されている。チャプターは、コンテンツを時間軸方向にあるまとまり毎に区切ってなるもので、トラック、セクション、セグメント等についても、基本的にはチャプターと同様の概念である。
【０００３】
ＤＶＤ等のメディアに録画されたコンテンツをユーザが再生しようとする際、例えば、そのチャプター番号を入力したり、チャプターに区切られている位置のサムネイル画像を選択したりすることにより、コンテンツの途中から再生したり、あるいは所望の範囲を早送りしたり、繰り返し再生したりすることができる。このような便利さから、ユーザ自身がハードディスクやＤＶＤ、あるいはＢＤなどの記録メディアにコンテンツを録画・記録するときも、そのコンテンツにチャプターを付与したりすることがある。
【０００４】
例えば、映画やＴＶ（テレビジョン）番組の映像やラジオ番組などの放送を、ユーザ自身でハードディスクやＤＶＤやＢＤに記録し、後で視聴するような場合、その番組がチャプターに分割されていると、ユーザに高い利便性を提供することができる。例えば、ある一つの番組の中に複数のコーナーや区切りなどが存在しているときに、その番組コンテンツのコーナーや区切りがチャプターによって分割されていると、ユーザは、所望の部分を簡単に視聴することができる。
【０００５】
しかしながら、上記のように番組コンテンツ等を録画する場合、一度に録画したまとまり以外のチャプターは、ユーザが新たに作成する必要がある。そのため、ユーザ自身がチャプターを作成しなければならず、時間がかかり、大きな労力を必要とする。
【０００６】
上述のような問題に対して、例えば、録画したコンテンツに対して、ある一定時間間隔で自動的にチャプターを付与する機器がある（従来例１）。また、録画対象の映像や音声信号の特徴をとらえて、自動的に区切りを判定する手法も存在する。具体的には、映像トラックからシーンの切り替わりと思われる箇所を判定し、インデックスとするハードディスクレコーダーもある（従来例２）。また、ＭＤ（ミニディスク）レコーダーやハードディスクレコーダーにおいて、オーディオトラックを調べて、空白区間、すなわち信号レベルが一定値以下の区間が所定時間続いたときに、それを区切りと見なす手法が広く用いられている（従来例３）。
【０００７】
また、例えば、特許文献１には、入力されたマルチメディアデータに音声認識をかけて得られたテキストを、言語的な知識を用いて区分けし、そこから元のマルチメディアデータにリンクしたチャプターを自動的に作ることで、マルチメディアデータを様々な手法で検索・再生可能にするチャプター作成装置が開示されている。
【特許文献１】特開２００３−２３００９４号公報
【発明の開示】
【発明が解決しようとする課題】
【０００８】
しかしながら、上述した従来例１では、内容的な区切りとは関係なく、一定時間間隔の区切りとなってしまい、不必要なチャプターが存在したり、または必要なチャプターが存在しなかったりするという問題が生じる。また、上述した従来例２や従来例３においては、映像や音声の特徴をとらえて自動的にチャプターを付与すると、必ずしも適切な箇所を検出できないことがある。例えば、内容的には連続した場面でも画面が切り替わってしまったり、同じような場面が続いているのにその内容が切り替わっている、というようなシーンでは、必要なチャプターが区切られなかったり、余計に区切ってしまったりという問題が生じることになる。
【０００９】
また、上記特許文献１でも同様な問題がある。すなわち、特許文献１では、発話内容の区切りに応じたチャプターを自動生成できるが、音声認識によるチャプター分割では、例えば、音声の状態が変化していないにも関わらずコンテンツ内容が切り替わったとき、あるいは音声に関係なく画面が切り替わったときに、必要なチャプターが区切られないというような問題が生じる。
【００１０】
本発明は、上述のごとき実情に鑑みてなされてもので、放送コンテンツの場面や内容に応じた違和感のない自然なチャプターを付与し、ユーザは、そのチャプターを利用して録画コンテンツを視聴できるようにしたデジタル放送システムを提供することを目的とするものである。
【課題を解決するための手段】
【００１１】
上記課題を解決するために、第１の技術手段は、デジタル放送によりコンテンツを放送する放送装置において、放送装置は、放送するコンテンツの時間軸上の意図した位置にチャプター分割情報を付与するよう指示するチャプター指示データを、コンテンツに付随させて放送し、チャプター指示データをコンテンツとともに受信した受信装置が、チャプター指示データを用いてコンテンツをチャプターに分割できるようにしたことを特徴としたものである。
【００１２】
第２の技術手段は、第１の技術手段において、放送装置が、放送するコンテンツの時間軸上の意図した位置でサムネイル画像を生成させるように指示するサムネイル指示データを、コンテンツに付随させて放送し、サムネイル指示データをコンテンツとともに受信した受信装置が、サムネイル指示データを用いてコンテンツからサムネイル画像を生成できるようにしたことを特徴としたものである。
【００１３】
第３の技術手段は、第２の技術手段において、放送装置が、放送するコンテンツから生成されるサムネイルのレイアウトを規定するレイアウト情報を、コンテンツに付随させて放送し、レイアウト情報をコンテンツとともに受信した受信装置が、レイアウト情報を用いて生成したサムネイル画像をレイアウトして出力できるようにしたことを特徴としたものである。
【００１４】
第４の技術手段は、第１の技術手段において、放送装置が、放送するコンテンツの時間軸上の意図した位置のサムネイル画像データを、コンテンツに付随させて放送し、サムネイル画像データをコンテンツとともに受信した受信装置が、サムネイル画像を出力できるようにしたことを特徴としたものである。
【００１５】
第５の技術手段は、デジタル放送により放送されたコンテンツを受信する受信装置において、受信装置が、放送装置によって放送されたコンテンツを録画する録画部と、放送されたコンテンツの時間軸上の意図した位置にチャプター分割情報を付与するよう指示されたチャプター指示データが放送されたコンテンツに付随されているときに、チャプター指示データを解析する解析部と、解析部の解析結果に従って、チャプター指示データによって指示されたコンテンツの時間軸情報の位置にチャプター分割情報を付与するチャプター指示部とを備えることを特徴としたものである。
【００１６】
第６の技術手段は、第５の技術手段において、受信装置が、チャプター指示データに指示された時間軸上の位置におけるコンテンツの静止画像から、コンテンツのサムネイル画像を生成して管理するサムネイル生成・管理部と、録画部に録画されているコンテンツを再生する際に、サムネイル生成・管理部で管理されているサムネイル画像データを出力するサムネイル出力手段とを有することを特徴としたものである。
【００１７】
第７の技術手段は、第５の技術手段において、受信装置が、放送されたコンテンツの時間軸上の意図した位置でサムネイル画像を生成させるように指示されたサムネイル指示データが放送されたコンテンツに付随されているときに、サムネイル指示データを解析する解析部と、解析部の解析結果に従って、サムネイル指示データに指示された時間軸上の位置におけるコンテンツの静止画像から、コンテンツのサムネイル画像を生成して管理するサムネイル生成・管理部と、録画部に録画されているコンテンツを再生する際に、サムネイル生成・管理部で管理されているサムネイル画像データを出力するサムネイル出力手段とを有することを特徴としたものである。
【００１８】
第８の技術手段は、第６または第７の技術手段において、受信装置が、サムネイル出力手段が出力するサムネイルのレイアウトを規定するレイアウト情報が放送されたコンテンツに付随されているときに、サムネイル生成・管理部で管理されているサムネイル画像データを、レイアウト情報に従って合成するサムネイル合成部を有し、サムネイル出力手段は、サムネイル合成部で合成したサムネイル画像をサムネイルリストとして出力することを特徴としたものである。
【００１９】
第９の技術手段は、第５の技術手段において、受信装置は、放送されたコンテンツの時間軸上の意図した位置のサムネイル画像データが該放送されたコンテンツに付随されているとき、録画部に録画されているコンテンツを再生する際に、コンテンツに付随されて放送されたサムネイル画像データを出力するサムネイル出力手段を有することを特徴としたものである。
【００２０】
第１０の技術手段は、第５ないし第９のいずれか１の技術手段において、受信装置が、サムネイル出力手段が出力したサムネイル画像の選択を受け付けて、選択されたサムネイル画像を含むチャプターのコンテンツを再生することを特徴としたものである。
【００２１】
第１１の技術手段は、第１ないし第４のいずれか１の技術手段に記載の放送装置と、第５ないし第１０のいずれか１の技術手段に記載の受信装置とを有してなることを特徴とするデジタル放送システムである。
【発明の効果】
【００２２】
本発明によれば、放送コンテンツの場面や内容に応じた違和感のない自然なチャプターを付与し、ユーザは、そのチャプターを利用して録画コンテンツを視聴することができるようになる。
すなわち、本発明の送信装置が放送コンテンツにチャプター分割位置を指定する情報を記述したデータを付随させ、受信装置でそのデータを解析することにより、放送局側が意図した位置でコンテンツをチャプター分割することができる。また、受信装置では、上記のチャプター分割位置を指定する情報に従って、コンテンツのサムネイルを作成し、サムネイルリストとしてユーザに提示することができる。
【００２３】
また、放送装置において、放送コンテンツに付随させるデータに、サムネイル生成位置を指定する情報を記述することにより、受信装置では、放送局側が意図した位置のコンテンツの静止画像からサムネイルを作成し、サムネイルリストとしてユーザに提示することができる。
また、放送装置において、放送コンテンツに付随させるデータに、サムネイルのレイアウトを指定する情報を記述し、受信装置でそのデータを解析することにより、放送局側が意図したサムネイル画面リストのレイアウトで、サムネイルリストを生成することができるようになる。
また、放送装置において、放送するコンテンツにおけるサムネイル画像データをそのコンテンツに付随させて放送することにより、受信装置では、放送されたサムネイル画像データを用いてサムネイルリストを生成し、ユーザに提示することができる。
そして上記のサムネイルリストに対して、ユーザにより特定のサムネイルが指定された場合には、そのサムネイルに該当するチャプターからコンテンツの再生を行うことができる。
【発明を実施するための最良の形態】
【００２４】
図１は、本発明の送信装置の構成例を説明するためのブロック図である。デジタル放送送信装置１００は、入力部１０１と、番組情報記憶部１０２と、送出制御部１０３と、番組情報生成部１０４と、コンテンツ付随データ作成部１０５と、映像音声符号化部１０６と、多重化部１０７と、送信部１０８とを備えている。
【００２５】
番組情報記憶部１０２は、ＲＡＭ等の記憶手段からなるものであり、例えば、放送時間枠毎に各チャンネルで送信される放送番組のパケット識別子等が記載されている。番組情報は入力部１０１から入力され、送出制御部１０３によって番組情報記憶部１０２に記憶される。また送出制御部１０３は、番組情報記憶部１０２に記憶した番組情報を読み出して番組情報生成部１０４に送出する制御を行う。番組情報生成部１０４では、番組情報記憶部１０２から読み出した番組情報を所定のデータフォーマットの形式の番組情報として、多重化部１０７に送出する。
【００２６】
映像音声符号化部１０６は、放送番組の映像及び音声信号を入力し、所定の符号化方法で符号化して多重化部１０７に送る。
コンテンツ付随データ作成部１０５は、チャプター分割を指示するチャプター指示データ、サムネイルの生成を指示するサムネイル指示データ、サムネイルリストを生成するためのサムネイルのレイアウトを指示するレイアウトデータ、あるいはサムネイルリストを生成するためのサムネイルデータそのもの等を、放送システムの形態に応じて作成する部分である。
【００２７】
多重化部１０７は、放送番組の送信時間を管理し、放送時間に応じて番組情報生成部１０４、コンテンツ付随データ作成部１０５、映像音声符号化部１０６からそれぞれデータを送出するように指示し、送られたデータをトランスポートストリーム中に多重化し、送信部１０８からアンテナ１０９を介して放送出力させる。
【００２８】
本発明の一実施形態に関わるデジタル放送送信装置１００は、放送するコンテンツの時間軸上の意図した位置（放送局側が意図した位置）にチャプター分割情報を付与するよう指示するチャプター指示データを、コンテンツに付随させて放送する。チャプター指示データは、上述のようにコンテンツ付随データ作成部１０５で作成され、放送コンテンツのトランスポートストリームの中に多重化され、すなわち、コンテンツデータに付随させたデータとして放送される。
【００２９】
このようなチャプター指示データを含むコンテンツデータを受信した受信装置側では、そのチャプター指示データに従って、受信したコンテンツをチャプター分割することができる。
すなわち、本実施形態により、デジタル放送送信装置１００によりコンテンツの放送を行う放送局側にて、コンテンツに応じた最適なチャプター分割を指定することができ、放送コンテンツの場面や内容に応じた違和感のない自然なチャプターを放送局側で付与することができ、受信側のユーザは、そのチャプターを利用して録画コンテンツを視聴することができる。例えば、同一番組（コンテンツ）に複数のコーナーがあるような場合等、放送局側でチャプター分割する位置を指定することによって、ユーザがコンテンツの再生を行いながらチャプター分割を設定する手間を省略することができる。
受信装置側の具体的な実施形態は後述して説明する。
【００３０】
また、デジタル放送送信装置１００は、放送するコンテンツの時間軸上の意図した位置でサムネイル画像を生成させるように指示するサムネイル指示データを、コンテンツに付随させて放送するようにしてもよい。サムネイルは、チャプター分割したコンテンツの各チャプターの再生を容易にするために、通常チャプター毎に対応させて作成される。
このサムネイル指示データは、上述のようにコンテンツ付随データ作成部１０５で作成され、放送コンテンツのトランスポートストリームの中に多重化され、すなわち、コンテンツデータに付随させたデータとして放送される。
【００３１】
サムネイル指示データを含むコンテンツデータを受信した受信装置側では、そのサムネイル指示データに従って、受信したコンテンツデータからサムネイル画像を作成し、サムネイルリストを提示することができる。
すなわち、デジタル放送送信装置１００によりコンテンツの放送を行う放送局側にて、コンテンツに応じた最適なサムネイル画像の生成位置を指定することができ、受信側では、放送者側が意図した箇所で、放送コンテンツの場面や内容に応じた最適なサムネイルリストを生成することができ、ユーザは、そのサムネイルリストを利用して録画コンテンツを視聴することができる。放送局側でサムネイル画像の生成位置を指定する情報のみを送信し、受信側でその生成位置情報に従ってサムネイル画像を生成することにより、データ通信容量の増大を抑えることができる。
【００３２】
この場合、放送局側では、上記のサムネイル指示データを送らずに、チャプター指定データのみを放送し、受信装置側では、チャプター指示データで指示された時間軸上の位置でチャプター分割するとともに、その位置でサムネイル画像を生成するようにしてもよい。
また、サムネイル指示データを送る場合に、チャプター指示データによるチャプター分割位置と、サムネイル指示データによるサムネイルの生成位置とは一致していてもよく、意図的に異なる位置に設定してもよい。例えば、チャプター分割する位置の画像が、静止画像ではよく理解できないような画像（例えば、緑一色の画像）である場合、サムネイル画像の生成位置がチャプター内の最適な位置になるように放送局側で設定することができる。
【００３３】
さらにデジタル放送送信装置１００は、サムネイルのレイアウトを規定するレイアウト情報を、コンテンツに付随させて放送するようにしてもよい。レイアウト情報は、上述のようにコンテンツ付随データ作成部１０５で作成され、放送コンテンツのトランスポートストリームの中に多重化され、すなわち、コンテンツデータに付随させたデータとして放送される。
【００３４】
サムネイルのレイアウト情報を含むコンテンツデータを受信した受信装置側では、そのレイアウト情報に従って、受信したコンテンツデータから生成したサムネイル画像をレイアウトして、サムネイルリストとして表示画面等に出力することができる。
すなわち、デジタル放送送信装置１００によりコンテンツの放送を行う放送局側にて、コンテンツに応じた最適なサムネイル画像のレイアウトを指定することができ、受信側では、放送者側が意図したレイアウトで、放送コンテンツの場面や内容に応じた最適なサムネイルリストを生成することができ、ユーザは、そのサムネイル画像を利用して録画コンテンツを視聴することができる。
【００３５】
さらにデジタル放送送信装置１００は、放送するコンテンツの時間軸上の意図した位置のサムネイル画像データを、該コンテンツに付随させて放送してもよい。サムネイル画像データは、上述のようにコンテンツ付随データ作成部１０５で作成され、放送コンテンツのトランスポートストリームの中に多重化され、すなわち、コンテンツデータに付随させたデータとして放送される。
【００３６】
サムネイル画像データを含むコンテンツデータを受信した受信装置側では、そのサムネイル画像データを使用して、表示画面等にサムネイル画像を出力することができる。このときに、レイアウト情報がコンテンツデータに含まれていれば、そのレイアウトに従ってサムネイルリストをレイアウトして出力することができる。
すなわち、デジタル放送送信装置１００によりコンテンツの放送を行う放送局側にて、コンテンツに応じた最適なサムネイル画像を送信することができ、受信側では、放送者側が意図したサムネイル画像を利用して録画コンテンツを視聴することができる。
【００３７】
上記の各例で、サムネイルリストが出力されると、ユーザは、そのサムネイルリストから所望のサムネイルを選択することができる。選択は、例えば、受信装置に設けられた操作ボタンやポインティングデバイス等を用いて実行することができる。そして受信側では、選択されたサムネイル画像に対応するチャプターを再生することができる。
【００３８】
図２は、本発明の受信装置の構成例を説明するためのブロック図である。デジタル放送受信装置２００は、デジタル放送チューナー部２０３を備え、放送局（例えば、上述のデジタル放送送信装置１００）から送信された電波は、受信アンテナ２０１を通ってデジタル放送チューナー部２０３で受信される。デジタル放送チューナー部２０３で受信された信号は、映像／音声／データ分離部２０８で分離され、音声／映像信号は音声／映像デコーダ部２１３でデコード（復号）される。音声／映像デコーダ部２１３でデコードされたビデオ信号は、ビデオ ／ＯＳＤ信号合成部２１４を通って映像出力部（表示装置)２１６に出力され、また、デコードされた音声信号は、データ放送の音声データと信号を合成する音声信号合成部２１５を通って、音声出力部（スピーカ）２１７に出力される。
【００３９】
リモコン受信部２０４は、リモコン装置２０２からの操作入力を受け付けて、デジタル放送チューナー部２０３ないしデータ放送表示ブラウザ部（解析部）２１０等に信号を出力する。
ＤＳＭ−ＣＣデコーダ部２０９は、映像／音声／データ分離部２０８で分離されたデータをデコードしてデータ放送表示ブラウザ部２１０に出力する。
データ放送表示ブラウザ部２１０は、ＤＳＭ−ＣＣデコーダ部２０９から出力されたデータを解析し、その解析結果に応じてチャプター分割指示、サムネイル生成指示等の処理を行う。またデータを解析した結果、映像出力部２１６で表示するデータがある場合、その表示データはデータ放送表示部２１１に送られ、ＯＳＤ表示部２１８からビデオ／ＯＳＤ信号合成部２１４へ送られてビデオ信号と合成され、映像出力部２１６に出力される。
【００４０】
ＵＩ管理部２０６は、リモコン受信部２０４を介してリモコン装置２０２からの録画や再生等の指示を受け付け、録画部２０７にその指示を出力する。
サムネイル生成・管理部２１２は、データ放送表示ブラウザ部２１０からのサムネイル指示データを受けて管理し、サムネイルを作成する時刻（時間軸上の位置）になると、録画部２０７から映像データを取得し、これを元にサムネイルを生成する。
【００４１】
チャプター管理部２０５は、データ放送表示ブラウザ部２１０からのチャプター指示データを受けて管理し、この管理データに基づいてチャプター分割位置の時刻（コンテンツの時間軸上の位置）になったときに、録画部２０７に対してチャプター分割指示を出力する。
録画部２０７は、放送コンテンツを録画する記録媒体であり、例えば、ＨＤＤ，ＤＶＤ，ＢＤ等の複数の記録媒体に対応できる構成を備えることができる。また、録画部２０７は、チャプター管理部２０５の指示によってコンテンツをチャプター分割して記録し、またサムネイル生成・管理部の指示よってコンテンツの画像データを出力し、その画像データから生成されたサムネイル画像データやサムネイルリストを保持する。
【００４２】
以下に、図２を参照しながら、受信した放送コンテンツを録画する際、コンテンツに付随したデータからチャプター分割する位置情報を抽出してサムネイル画像を生成する処理例について説明する。
まず、ユーザは、リモコン装置２０２を使用して、録画しようとするコンテンツのチャンネルを選局する指示を入力する。リモコン受信部２０４は、リモコン装置２０２からの選局指示入力を受け付け、デジタル放送チューナー部２０３へその選局指示を出力する。デジタル放送チューナー部２０３は、これを受けて指示されたチャンネルの選局を行う。
【００４３】
この後、ユーザがさらにリモコン装置２０２を操作して、現在放送されているコンテンツを録画する指示を行う。このとき、録画部２０７が複数の記録媒体に対応している場合は、コンテンツを録画する記録媒体を指示しておく。そしてリモコン受信部２０４は、リモコン装置２０２からの録画指示を受け付け、ＵＩ管理部２０６にその録画指示を出力する。ＵＩ管理部２０６は、録画部２０７に対して録画の指示を行う。そして録画部２０７は、映像／音声／データ分離部２０８に対して、録画するコンテンツデータを要求し、指示された記録媒体にコンテンツの録画を行う。
【００４４】
このときコンテンツを録画する際に、映像／音声／データ分離部２０８は、コンテンツに付随しているデータをＤＳＭ−ＣＣデコーダ部２０９に送り、データ放送表示ブラウザ部２１０でそのデータを解析する。データを解析した結果、映像出力部２１６で表示するデータがある場合、その表示用データはデータ放送表示部２１１に送られ、ＯＳＤ表示部２１８からビデオ／ＯＳＤ信号合成部２１４へ送られてビデオ信号と合成され、映像出力部２１６に出力される。
【００４５】
また、データ放送表示ブラウザ部２１０でデータを解析した結果、チャプターを分割する位置に関してのデータ（チャプター指示データ）がある場合、そのチャプター指示データはチャプター管理部２０５に送られて管理される。チャプター管理部２０５は、この管理データに基づいてチャプター分割位置の時刻（コンテンツの時間軸上の位置）になったときに、録画部２０７に対してチャプター分割指示を出力する。指示を受けた録画部２０７は、録画しているコンテンツデータに対してチャプター分割情報を付与してチャプター分割を行う。
【００４６】
また、データ放送表示ブラウザ部２１０がデータを解析した結果、サムネイルを作成する位置に関してのデータ（サムネイル指示データ）がある場合、そのサムネイル指示データは、サムネイル生成・管理部２１２に送られて管理される。サムネイル生成・管理部２１２は、サムネイルを作成する時刻（時間軸上の位置）になると、録画部２０７から映像データを取得し、これを元にサムネイルを生成する。そして、サムネイル生成・管理部２１２は、生成したサムネイルを録画部２０７へ送り、録画部２０７に録画したコンテンツデータと共に保存をする。
【００４７】
次に、録画部２０７に録画したコンテンツを再生するときにサムネイル画像リストを提示する処理の一例について説明する。
まず、ユーザがリモコン装置２０２を用いて録画コンテンツの再生指示をする。リモコン受信部２０４はその再生指示を受信し、再生指示信号がＵＩ管理部２０６へ送られて、ＵＩ管理部２０６にてユーザの指示が解析される。
【００４８】
ＵＩ管理部２０６における解析の結果、特定のコンテンツの再生指示であることがわかると、録画部２０７に録画されている対象コンテンツの再生を指示する。録画部２０７では、録画されているコンテンツを探索し、指示されたコンテンツがあればそのコンテンツを再生するために出力する。
出力されたコンテンツのデータは、映像・音声・データを分離するために、映像／音声／データ分離部２０８に送られ、分離された音声／映像のデータは、音声／映像デコーダ部２１３でデコードされる。そして、デコードされた音声は、音声信号合成部２１５をとおり、音声出力部２１７で出力される。また、デコードされた映像は、ビデオ／ＯＳＤ信号合成部２１４でＯＳＤ表示部２１８のＯＳＤと合成され、合成された映像が映像出力部２１６で出力される。
【００４９】
一方、映像／音声／データ分離部２０８で分離されたデータは、ＤＳＭ−ＣＣデコーダ部２０９でデコードされ、デコードされたデータは、データ放送表示ブラウザ部２１０で解析される。データ放送表示ブラウザ部２１０の解析結果、データを映像出力部２１６で提示する場合は、そのデータはデータ放送表示部２１１へ送られ、ＯＳＤ表示部２１８で表示し、ビデオ／ＯＳＤ信号合成部２１４で映像と合成して映像出力部２１６に出力される。
【００５０】
また、データ放送表示ブラウザ部２１０でデータを解析した結果、サムネイル画像リスト画面を提示する指示がそのデータに含まれている場合、データ放送表示ブラウザ部２１０は、サムネイル生成・管理部２１２に対してサムネイル画像を要求する。サムネイル生成・管理部２１２はこの要求を受け、録画部２０７の記録媒体からサムネイルデータを抽出して、データ放送表示部２１１に送る。データ放送表示部２１１では、サムネイルデータと画像リスト画面のレイアウトとを合成し、これをＯＳＤ表示部２１８へ送る。そして合成されたサムネイルリストは、ビデオ／ＯＳＤ信号合成部２１４を通って、映像出力部２１６で出力される。
【００５１】
図３は、受信装置で提示するサムネイルリストの表示画面の一例を示す図で、図中、１１はコンテンツのタイトル名、１２は選択されているチャプターの名前及び時刻、１３はサムネイルリスト、１４はコンテンツのタイムテーブル、１５はコンテンツの開始時刻、１６はコンテンツの終了時刻である。
図３に示すように、サムネイルリストでは、分割されたチャプターに応じたサムネイルがリストとして表示される。サムネイルは、チャプター分割位置の静止画像から作成されたものでもよく、また放送局側で指定された位置の静止画像から作成されたものでもよく、あるいは、放送局側から放送されたサムネイル画像データを用いたものであってもよい。
【００５２】
表示されたサムネイルリストから、ユーザは、任意のサムネイルを選択することができる。選択は、リモコン装置あるいは他のポインタデバイスや操作ボタンで適宜行うことができる。図３では、サムネイルリスト１３のなかから、サムネイル“００３”が選択され、そのサムネイルに該当するチャプターの名前及び時刻１２が表示されている。コンテンツ全体の時間長と、分割されたチャプター及び選択されたチャプターの位置は、タイムテーブル１４によって視認できるようになっている。
【００５３】
次に、コンテンツを再生するときにコンテンツに付随するデータからチャプター分割する位置情報を抽出し、その位置でチャプター分割を行うとともに、サムネイルを生成する処理の一例について説明する。
ユーザは、予めデジタル放送受信装置２００に放送コンテンツを録画しておく。このとき、コンテンツの再生時に放送局(事業者)が意図した位置でチャプター分割できる情報（チャプター指示データ）が、コンテンツに付随して放送されたデータに記述されているものとする。
【００５４】
まず、ユーザがリモコン装置２０２を用いて録画コンテンツの再生指示をする。リモコン受信部２０４はその再生指示を受信し、再生指示信号がＵＩ管理部２０６へ送られて、ＵＩ管理部２０６にてユーザの指示が解析される。
【００５５】
ＵＩ管理部２０６における解析の結果、特定のコンテンツの再生指示であることがわかると、録画部２０７に録画されている対象コンテンツの再生を指示する。録画部２０７では、録画されているコンテンツを探索し、指示されたコンテンツがあればそのコンテンツを再生するために出力する。
出力されたコンテンツのデータは、映像・音声・データを分離するために、映像／音声／データ分離部２０８に送られ、分離された音声／映像のデータは、音声／映像デコーダ部２１３でデコードされる。そして、デコードされた音声は、音声信号合成部２１５をとおり、音声出力部２１７で出力される。また、デコードされた映像は、ビデオ／ＯＳＤ信号合成部２１４でＯＳＤ表示部２１８のＯＳＤと合成され、合成された映像が映像出力部２１６で出力される。
【００５６】
一方、映像／音声／データ分離部２０８で分離されたデータは、ＤＳＭ−ＣＣデコーダ部２０９でデコードされ、デコードされたデータは、データ放送表示ブラウザ部２１０で解析される。データ放送表示ブラウザ部２１０の解析結果、データを映像出力部２１６で提示する場合は、そのデータはデータ放送表示部２１１へ送られ、ＯＳＤ表示部２１８で表示し、ビデオ／ＯＳＤ信号合成部２１４で映像と合成して映像出力部２１６に出力される。
【００５７】
また、データ放送表示ブラウザ部２１０でデータを解析した結果、チャプター分割する指示がそのデータに含まれている場合、データ放送表示ブラウザ部２１０は、チャプター管理部２０５に対して、チャプター分割する位置に関するデータを送る。チャプター管理部２０５は、送られたチャプター分割の位置データを管理し、この管理データに基づき、チャプター分割位置の時刻（時間軸上の位置）になると、録画部２０７に対してチャプター分割指示を出力する。
【００５８】
チャプター分割指示を受けた録画部２０７は、再生しているコンテンツデータに対してチャプター分割を行う。また、データ放送表示ブラウザ部２１０によるデータの解析結果、サムネイルを作成する指示がそのデータに含まれている場合、データ放送表示ブラウザ部２１０は、サムネイル生成・管理部２１２に対してサムネイルを作成する位置に関するデータを送る。サムネイル生成・管理部２１２は、送られたデータを管理する。そして、サムネイル生成・管理部２１２は、管理しているデータに基づき、サムネイルを作成する時刻（時間軸上の位置）になると、録画部２０７から映像データを取得してそのデータを元にサムネイルを作成する。そして、作成したサムネイルは録画部２０７へ送られ、再生しているコンテンツデータと共に保存される。
【００５９】
図４は、放送コンテンツのチャプター分割及び録画コンテンツの再生動作の一例を説明するためのフローチャートである。
ここでは、放送局(事業者)が意図した位置でチャプター分割できる情報（チャプター指示データ）、及び放送者が意図した位置でサムネイル画像を生成できる情報（サムネイル指示データ）を、コンテンツに付随させて放送するデータに記述しておく。また、図４に示す各ステップの処理を受信側の機器で実行させるようにする指示情報を、コンテンツに付随させるデータに記述しておくものとする。
【００６０】
図４において、放送コンテンツを受信したデジタル放送受信装置では、まず、コンテンツに付随したデータによるチャプター分割機能に自身が対応しているかどうかを判定する（ステップＳ１）。ここで自身がチャプター分割機能に対応していなければ、チャプター分割に関わる記述を無視して終了する。
【００６１】
上記ステップＳ１において、デジタル放送受信装置が上記のチャプター分割機能に対応している場合、デジタル放送受信装置では、コンテンツの処理が録画、再生、視聴であるかどうかを判別する（ステップＳ２）。ここでは、受信側の機器で「コンテンツを録画」しようとしているのか、「コンテンツを再生」しようとしているのか、または「コンテンツを視聴」しようとしているのかを判定する。
【００６２】
上記ステップＳ２において、「コンテンツを録画」する場合、デジタル放送受信装置では、コンテンツ録画をスタートする（ステップＳ３）。そして、チャプター指示データに従って、チャプター分割する時刻になった時点で、録画するコンテンツのチャプター分割を行う（ステップＳ４）。そしてさらに、サムネイルを生成する時刻になった時点で、録画するコンテンツのサムネイルを生成する（ステップＳ５）。このときに、チャプター分割するコンテンツ上の位置と、サムネイルを生成する位置とは、異なる位置であってもよく、また同じ位置であってもよい。
【００６３】
上記ステップＳ２において、「コンテンツを再生」する場合、デジタル放送受信装置では、コンテンツの再生をスタートする（ステップＳ６）。そしてそれに伴い、コンテンツを録画したときに生成したサムネイルデータを使用して、サムネイルリストを提示する（ステップＳ７）。
ここで、デジタル放送受信装置のユーザが、提示されたサムネイルのなかから一つのサムネイルを選択すると（ステップＳ８）、そのサムネイルに対応するチャプターからコンテンツの再生が行われる（ステップＳ９）。
【００６４】
上記ステップＳ２において、「コンテンツを視聴」する場合、デジタル放送受信装置では、そのままコンテンツをリアルタイムでユーザに視聴させる。このとき、チャプター分割を行う必要はないので、コンテンツに付随したデータに含まれるチャプター分割に関する記述は、デジタル放送受信装置では無視する。
【００６５】
上記のように、デジタル放送受信装置によって放送を行う放送局側(事業者側）が、コンテンツに付随するデータにチャプター指示データやサムネイル指示データを記述し、デジタル放送受信装置側でデータを解析して、その解析結果に従ってチャプター分割やサムネイルの生成を行うことができる。
図４のフローでは、デジタル放送受信装置でコンテンツの再生を行う時に、サムネイルデータを生成してチャプター画面リストを提示したが、サムネイルデータは、予めコンテンツに付随して放送するようにしてもよく、またコンテンツを再生したときに、放送波から取得するように放送コンテンツのデータを記述しておいても構わない。
【００６６】
サムネイルデータを予めコンテンツに付随させて放送する場合、デジタル放送受信装置では、コンテンツ録画の際にサムネイルを作成することなく、また、コンテンツの再生時にチャプター画面リストを提示するときには、コンテンツ自身に付随しているサムネイルデータを利用して画面リストを生成して提示する。これらの処理についても、コンテンツに付随させて放送するデータに記述しておく。
また、デジタル放送受信装置でコンテンツを再生したときに、放送波からサムネイルデータを取得する場合には、チャプター画面リストを提示する際に、サムネイルを放送波から取得するように放送コンテンツのデータに記述しておけばよい。
【００６７】
図５は、録画したコンテンツの再生時におけるチャプター分割の動作の一例を説明するためのフローチャートである。
ここでは、録画したコンテンツを受信側で再生するときに、放送局(事業者)が意図した位置でチャプター分割できる情報（チャプター指示データ）、及び放送者が意図した位置でサムネイル画像を生成できる情報（サムネイル指示データ）を、コンテンツに付随させて放送するデータに記述しておく。また、図５に示す各ステップの処理を受信側の機器で実行するような指示情報を、コンテンツに付随させるデータに記述しておくものとする。
【００６８】
図５において、放送コンテンツを受信したデジタル放送受信装置では、まず、コンテンツに付随したデータによるチャプター分割機能に自身が対応しているかどうかを判定する（ステップＳ１１）。ここで自身がチャプター分割機能に対応していなければ、チャプター分割に関わる記述を無視して終了する。
【００６９】
上記ステップＳ１１でデジタル放送受信装置がチャプター分割機能に対応している場合、さらに「コンテンツを再生」しているかどうかを判定する（ステップＳ１２）。ここでコンテンツを再生していない場合には、チャプター分割に関わる記述を無視する。
また、コンテンツを再生している場合、以前に放送コンテンツに付随したデータを用いてそのコンテンツのチャプター分割を行ったかどうかを判定する（ステップＳ１３）。ここでは、デジタル放送受信装置内部で以前のチャプター分割の有無を判定するようにしてもよく、デジタル放送受信装置の表示画面等によりユーザに判定を求めるようにしてもよい。
【００７０】
ここで再生コンテンツに対して、以前にチャプター分割が行われていれば、以前作成したサムネイルを使用してサムネイルリストを提示する（ステップＳ１４）。ここで、デジタル放送受信装置のユーザが、提示されたサムネイルのなかから一つのサムネイルを選択すると（ステップＳ１５）、そのサムネイルが対応するチャプターからコンテンツの再生が行われる（ステップＳ１６）。
【００７１】
また上記ステップＳ１３で、以前にチャプター分割を行っていなければ、放送局側が推奨する位置でチャプター分割を行うのかどうかを判断する（ステップＳ１７）。この判断は、ユーザによる指示入力に従うようにしてもよく、予めなされたユーザによる設定に従うようにしてもよい。このときに、放送局推奨によるチャプター分割の有無をユーザに選択させる画面を提示するようにしてもよい。
【００７２】
ステップＳ１７で放送局推奨のチャプター分割を行わないのであれば、コンテンツを再生し（ステップＳ２０）、以後、チャプター分割に関連するデータの記述は無視する。
また、上記ステップＳ１７で放送局推奨のチャプター分割を行うのであれば、コンテンツを再生しながら、チャプター分割する時刻になった時点で、録画するコンテンツのチャプター分割を行う（ステップＳ１８）。そしてさらに、サムネイルを生成する時刻になった時点で、録画するコンテンツのサムネイルを生成する（ステップＳ１９）。このときに、チャプター分割するコンテンツ上の位置とサムネイルを生成する位置とは、異なる位置であってもよく、また同じ位置であってもよい。
【００７３】
上記のように、デジタル放送受信装置によって放送を行う放送局側(事業者側）が、コンテンツに付随するデータにチャプター指示データやサムネイル指示データを記述し、デジタル放送受信装置側でデータを解析して、その解析結果に従ってチャプター分割やサムネイルの生成を行うことができる。
図５のフローでは、デジタル放送受信装置でコンテンツの再生を行う時に、以前の再生時に生成したサムネイルデータを使用してチャプター画面リストを提示したが、サムネイルデータは、予めコンテンツに付随して放送するようにしてもよく、またコンテンツを再生したときに、放送波から取得するように放送コンテンツのデータを記述しておいても構わない。
【００７４】
サムネイルデータを予めコンテンツに付随させて放送する場合、デジタル放送受信装置では、コンテンツ録画の際にサムネイルを作成することなく、また、コンテンツの再生時にサムネイルリストを提示するときには、コンテンツ自身に付随しているサムネイルデータを利用して画面リストを生成して提示する。これらの処理についても、コンテンツに付随させて放送するデータに記述しておく。
また、デジタル放送受信装置でコンテンツを再生したときに、放送波からサムネイルデータを取得する場合には、チャプター画面リストを提示する際に、サムネイルを放送波から取得するように放送コンテンツのデータに記述しておけばよい。
【００７５】
図６は、コンテンツの再生時に放送電波からサムネイルデータを取得する動作の一例について説明するためのフローチャートである。図６のフローについて図２のブロック図を参照しながら説明する。
デジタル放送受信装置２００の録画部２０７は、コンテンツの再生指示が入力されると、コンテンツの再生を始めようとする。ここではまず、コンテンツを録画部２０７の記録媒体から取り出し(ステップＳ２１)、映像／音声／データ分離部２０８に渡す。そして映像／音声／データ分離部２０８で映像／音声とデータとが分離され、データはＤＳＭ−ＣＣデコーダ部２０９を通り、データ放送表示ブラウザ部２１０に渡され、ここで解析が行われる（ステップＳ２２）。
【００７６】
データ解析の結果、チャプターに対応したサムネイルデータを放送波から取得するような指示があった場合、データ放送表示ブラウザ部２１０は、サムネイル画像リストを表示するためのサムネイル画像の取得をＤＳＭ−ＣＣデコーダ部２０９に要求する（ステップＳ２３）。このときに、選局が必要な場合には、データ放送表示ブラウザ部２１０は、デジタル放送チューナー部２０３に選局を要求し、デジタル放送チューナー部２０３で選局が行われてから、ＤＳＭ−ＣＣデコーダ部２０９にサムネイル画像の取得を要求する。
【００７７】
ＤＳＭ−ＣＣデコーダ部２０９は、デジタル放送チューナー部２０３からコンテンツデータを取得し、データ放送表示ブラウザ部２１０の要求に従ってコンテンツデータからサムネイル画像を取得し、データ放送表示ブラウザ部２１０に渡す（ステップＳ２４）。
データ放送表示ブラウザ部２１０は、サムネイルリスト画面のレイアウトデータに基づいてサムネイルリスト表示を表示する（ステップＳ２５）。
【００７８】
表示されたサムネイルリストから、ユーザによって一つのサムネイルが選択されると（ステップＳ２６）、選択されたサムネイルに対応するチャプターから、コンテンツの再生が行われる（ステップＳ２７）。
【図面の簡単な説明】
【００７９】
【図１】本発明の送信装置の構成例を説明するためのブロック図である。
【図２】本発明の受信装置の構成例を説明するためのブロック図である。
【図３】受信装置で提示するサムネイルリストの表示画面の一例を示す図である。
【図４】放送コンテンツのチャプター分割及び録画コンテンツの再生動作の一例を説明するためのフローチャートである。
【図５】録画したコンテンツの再生時におけるチャプター分割の動作の一例を説明するためのフローチャートである。
【図６】コンテンツの再生時に放送電波からサムネイルデータを取得する動作の一例について説明するためのフローチャートである。
【符号の説明】
【００８０】
１２…時刻、１４…タイムテーブル、１００…デジタル放送送信装置、１０１…入力部、１０２…番組情報記憶部、１０３…送出制御部、１０４…番組情報生成部、１０５…コンテンツ付随データ作成部、１０６…映像音声符号化部、１０７…多重化部、１０８…送信部、１０９…アンテナ、２００…デジタル放送受信装置、２０１…受信アンテナ、２０２…リモコン装置、２０３…デジタル放送チューナー部、２０４…リモコン受信部、２０５…チャプター管理部、２０６…ＵＩ管理部、２０７…録画部、２０８…映像／音声／データ分離部、２０９…ＣＣデコーダ部、２１０…データ放送表示ブラウザ部、２１１…データ放送表示部、２１２…サムネイル生成・管理部、２１８…ＯＳＤ表示部、２１３…音声／映像デコーダ部、２１４…ビデオ／ＯＳＤ信号合成部、２１５…音声信号合成部、２１６…映像出力部、２１７…音声出力部。
【図１】
2006148839.tif 000003
【図２】
2006148839.tif 000004
【図３】
2006148839.tif 000005
【図４】
2006148839.tif 000006
【図５】
2006148839.tif 000007
【図６】
2006148839.tif 000008